(57)【要約】【課題】  ブロック体の付設物が、屋外において風雨やいたずら等によって劣化したり破損したりすることを防止して耐久性を向上させるとともに、デザインに趣向を凝らす。【解決手段】  墓地に設置され、外部に露出した露出部２を有し故人に係る石製のブロック体１を備えた墓地用構造物Ｋにおいて、ブロック体１の露出部２に凹部３を設け、この凹部３に表面に模様が表出された金属性レリーフ体１０を嵌合して付設し、このレリーフ体１０の表面に、故人に関連する関連情報を通信手段を介して取得するためのコード２０を表出した構成とした。【選択図】図１
2008223398.tif 000002
【特許請求の範囲】
【請求項１】
墓地に設置され、外部に露出した露出部を有し故人に係る石製のブロック体を備えた墓地用構造物において、
上記ブロック体の露出部に、表面に模様が表出された金属性レリーフ体を付設したことを特徴とする墓地用構造物。
【請求項２】
上記ブロック体の露出部に凹部を設け、該凹部に上記レリーフ体を嵌合して付設したことを特徴とする請求項１記載の墓地用構造物。
【請求項３】
上記レリーフ体の表面に、上記故人に関連する関連情報を通信手段を介して取得するためのコードを表出したことを特徴とする請求項１又は２記載の墓地用構造物。
【請求項４】
上記コードをＱＲコードで構成し、該ＱＲコードを上記レリーフ体の表面に印刷又は刻設により表出したことを特徴とする請求項３記載の墓地用構造物。
【請求項５】
上記通信手段は、携帯端末と、ホストコンピュータと、該携帯端末と該ホストコンピュータ間においてデータを送受信可能に接続するネットワークシステムとを備え、
上記携帯端末は、上記コードを撮像してコードデータを読み取る読取手段と、上記読み取ったコードデータを上記ホストコンピュータに送信するコードデータ送信手段と、該ホストコンピュータから送信された関連情報を受信する関連情報受信手段と、受信した関連情報をディスプレイに表示する表示手段とを備え、
上記ホストコンピュータは、コードデータに対応した関連情報を格納する格納手段と、上記携帯端末から送信された該コードデータを受信するコードデータ受信手段と、受信したコードデータを照合して上記格納手段から対応する関連情報を特定する関連情報特定手段と、該特定した関連情報を上記携帯端末に送信する関連情報送信手段とを備えたことを特徴とする請求項３又は４記載の墓地用構造物。
【発明の詳細な説明】
【技術分野】
【０００１】
本発明は、墓地に設置され、墓石や墓碑等の故人に係る石製のブロック体を備えた墓地用構造物に関する。
【背景技術】
【０００２】
一般に、墓参の際には、先祖の風貌、容貌も知らずにお参りをする人も多く、また直近の故人の供養であってもその顔が見えず、形ばかりのお参りになっていることがあった。そこで、墓参の際に祀られている故人と対面するかの如き態様とするために、従来においては、特許文献１（特開２００２−１７４０５２号公報）に記載されたものが知られている。
【０００３】
これは、図１０及び図１１に示すように、墓を構成する墓石としてのブロック体１００に凹部１０３を穿設し、この凹部１０３に遺影である写真１０１を組付けた透明ブロック体１０２を嵌入させたものである。写真１０１は、透明ブロック体１０２の後面に付設され、その上から写真保持板１０４で固定されている。そして、透明ブロック体１０２は表面が外部へ露出するようにブロック体１００の凹部１０３に嵌入させられ、さらにストップリング１０５を嵌めて固定されている。また、空所には防水剤が充填されている。
【０００４】
また、従来においては、墓参の際に、故人に関連する映像を、サイバー映像で映し出すようにした例えば特許文献２（特開２００１−２２７２０１号公報）掲載の技術がある。これは、納骨箱にコードを設け、このコードを読み取ることによって納骨箱の情報を読み取り、更に、故人に関連する映像を映し出すサイバー映像システムを備えたものである。サイバー映像システムは、デジタル映像データと、映像データを映し出すモニター及びコンピュータと、映像データをインターネットを通じて送受信する通信手段とを備えてなる。
【０００５】
デジタル映像データは、故人の在りし日の面影及び家族と共にした面影等の映像を編集して、映像ターミナルに貯蔵する。この映像ターミナルは、各個人のホームページ等に提供されるものである。
このようなサイバー映像システムを駆動させると、編集した映像データが、映像ターミナルを通じてモニターに転送され、モニター上に編集した映像が映し出される。
【０００６】
【特許文献１】特開２００２−１７４０５２号公報
【特許文献２】特開２００１−２２７２０１号公報
【発明の開示】
【発明が解決しようとする課題】
【０００７】
しかしながら、従来において、前者の墓地用構造物にあっては、写真１０１が透明ブロック体１０２に付設されているので、風雨やいたずら等によって劣化したり破損したりし易く、耐久性に劣るという問題があった。また、遺影である写真なので、デザイン的にもおもしろさがないという問題もあった。
【０００８】
一方、従来において、後者の技術においては、納骨箱にコードを設けて、屋内で情報を取得できるようにしており、屋外で対応できないという欠点がある。
【０００９】
本発明は、このような問題点に鑑みてなされたもので、ブロック体の付設物が、屋外において風雨やいたずら等によって劣化したり破損したりすることを防止して耐久性を向上させるとともに、デザインに趣向を凝らした墓地用構造物を提供することを目的とする。
【課題を解決するための手段】
【００１０】
このような目的を達成するため、本発明の墓地用構造物は墓地に設置され、外部に露出した露出部を有し故人に係る石製のブロック体を備えた墓地用構造物において、上記ブロック体の露出部に、表面に模様が表出された金属性レリーフ体を付設した構成とした。
【００１１】
これにより、レリーフ体を金属で構成したため、風雨やいたずら等によって、レリーフ体が劣化したり破損したりすることを防止するので耐久性が向上する。また、模様として、例えば、故人の顔を表出させた場合には、故人のことを知らない人でも感情を込めて礼拝できるようになる。更に、レリーフ体の表面に表出された模様は、写真や肖像画とは違う趣があり、趣向を凝らして描くことができる。
【００１２】
更に、必要に応じ、上記ブロック体の露出部に凹部を設け、該凹部に上記レリーフ体を嵌合して付設した構成とした。これにより、レリーフ体が安易に取れたり落ちたりしなくなり、墓地用構造物の外観を損ねることがなくなる。
【００１３】
そして、必要に応じ、上記レリーフ体の表面に、上記故人に関連する関連情報を通信手段を介して取得するためのコードを表出した構成とした。これにより、コードの模様は種々あるので、それだけ、レリーフ体のデザイン性が向上する。また、レリーフ体に表出された模様とともに故人の生前の情報を閲覧することで、より感情を込めて礼拝することができるようになる。更に、関連情報を通信手段を介して取得するため、関連情報がいたずら等によって改竄されることを防止できる。
【００１４】
また、必要に応じ、上記コードをＱＲコードで構成し、該ＱＲコードを上記レリーフ体の表面に印刷又は刻設により表出した構成とした。ＱＲコードは、主に、カメラ付携帯電話で読み取り、ウェブサイトに誘導するものである。現在は、カメラ付携帯電話の普及率が高くなってきているため、ＱＲコードとすることで、広く一般に公開できるとともに容易に情報を取得することができる。このため、故人と縁のない人でも、故人の関連情報を閲覧することで、感情を込めて礼拝することができるようになる。また、ＱＲコードを印刷又は刻設によって表出したことにより、ＱＲコードが劣化したり破損したりして読取機能が低下することを防止することができる。更に、ＱＲコードは複雑で、模様にしてもおもしろい。
【００１５】
更にまた、必要に応じ、上記通信手段は、携帯端末と、ホストコンピュータと、該携帯端末と該ホストコンピュータ間においてデータを送受信可能に接続するネットワークシステムとを備え、上記携帯端末は、上記コードを撮像してコードデータを読み取る読取手段と、上記読み取ったコードデータを上記ホストコンピュータに送信するコードデータ送信手段と、該ホストコンピュータから送信された関連情報を受信する関連情報受信手段と、受信した関連情報をディスプレイに表示する表示手段とを備え、上記ホストコンピュータは、コードデータに対応した関連情報を格納する格納手段と、上記携帯端末から送信された該コードデータを受信するコードデータ受信手段と、受信したコードデータを照合して上記格納手段から対応する関連情報を特定する関連情報特定手段と、該特定した関連情報を上記携帯端末に送信する関連情報送信手段とを備えた構成とした。これにより、携帯端末で読み取ったコードデータは、携帯端末からホストコンピュータへ送信される。そして、ホストコンピュータにおいて、情報を特定し、ホストコンピュータから携帯端末へ特定した情報が送信される。特定した情報は、携帯端末のディスプレイに表示されるようになる。即ち、墓参の際、墓前から故人に関連する関連情報を閲覧することが可能になる。
【発明の効果】
【００１６】
本発明の墓地用構造物によれば、レリーフ体を金属で構成したため、風雨やいたずら等によって、レリーフ体が劣化したり破損したりすることを防止するので耐久性が向上する。また、模様として、例えば、故人の顔を表出させた場合には、故人のことを知らない人でも感情を込めて礼拝できるようになる。更に、レリーフ体の表面に表出された模様は、写真や肖像画とは違う趣があり、趣向を凝らして描くことができる。
【００１７】
特に、コードを表出した場合には、コードの模様は種々あるので、それだけ、レリーフ体のデザイン性が向上する。また、レリーフ体に表出された模様とともに故人の生前の情報を閲覧することで、より感情を込めて礼拝することができるようになる。更に、関連情報を通信手段を介して取得するため、関連情報がいたずら等によって改竄されることを防止できる。
【発明を実施するための最良の形態】
【００１８】
以下、添付図面に基づいて本発明の実施の形態に係る墓地用構造物を説明する。
図１乃至図９には、本発明の実施の形態に係る墓地用構造物Ｋを示している。墓地用構造物Ｋとしては、例えば、地下に納骨した墓Ｋ（Ａ），墓誌を刻設した墓碑Ｋ（Ｂ），敷地を囲繞する支柱Ｋ（Ｃ）等がある。この実施の形態に係る墓地用構造物Ｋの基本的構成は、ブロック体１を備えてなる。
【００１９】
ブロック体１は、複数あるいは単体で構成され、図１乃至図４，図６及び図７に示すように、故人に係る石製のもので、墓地に設置される。ブロック体１の形状としては、図２，図３，図４に示すように、目的に応じて種々の形状に形成されている。各ブロック体１は、外部に露出した露出部２を有している。
【００２０】
ブロック体１には、レリーフ体１０が設けられている。このレリーフ体１０は、図１乃至図７に示すように、金属で構成され、表面１１に模様１２が表出されたものである。実施の形態では、模様１２として、故人の顔１２ａ，名前１２ｂ，生存期間１２ｃが表出されている。このレリーフ体１０は、ブロック体１の露出部２に凹部３を設け、この凹部３に嵌合されて付設されている。例えば、図５及び図６に示すように、レリーフ体１０は正面円形で断面矩形に形成され、このレリーフ体１０に対応する凹部３がブロック体１の露出部２に設けられている。また、レリーフ体１０の表面１１には、故人に関連する関連情報４０を通信手段３０を介して取得するためのコード２０が表出されている。
【００２１】
コード２０は、図１乃至図５，図７に示すように、ＱＲコード２０ａで構成されている。ＱＲコード２０ａは、２次元コードの一種で、読取機にとって読み取りやすいコードを狙って開発されたものである。通常のバーコードより盛り込める情報量が多く、主に、カメラ付携帯電話３１ａで読み取り、ウェブサイトに誘導するものである。このＱＲコード２０ａは、レリーフ体１０の表面１１に印刷又は刻設によって表出されている。実施の形態では、印刷されている。
【００２２】
通信手段３０は、図７及び図８に示すように、携帯端末３１と、ホストコンピュータ３２と、携帯端末３１とホストコンピュータ３２間においてデータを送受信可能に接続するネットワークシステム３３とを備えてなる。
【００２３】
携帯端末３１は、図７及び図８に示すように、コード２０を撮像してコードデータを読み取る読取手段３４と、読み取ったコードデータをホストコンピュータ３２に送信するコードデータ送信手段３５と、ホストコンピュータ３２から送信された関連情報４０を受信する関連情報受信手段３６と、受信した関連情報４０をディスプレイ３８に表示する表示手段３７とを備えて構成されている。実施の形態では、携帯端末３１として、携帯電話３１ａ、特にカメラ付携帯電話３１ａを用いている。
【００２４】
ホストコンピュータ３２は、図７及び図８に示すように、コードデータに対応した関連情報４０を格納する格納手段４１と、携帯端末３１から送信されたコードデータを受信するコードデータ受信手段４２と、受信したコードデータを照合して格納手段４１から対応する関連情報４０を特定する関連情報特定手段４３と、特定した関連情報４０を携帯端末３１に送信する関連情報送信手段４４とを備えて構成されている。
【００２５】
このように構成される本発明の実施の形態に係る墓地用構造物Ｋを構築するときは、以下のようになる。先ず、レリーフ体１０を製造する。レリーフ体１０は、例えば、周知のロストワックス法で製造される。図９に示すフローチャートを参照し、ロストワックス法では、例えば、故人の写真を入手し（Ｓ１）、この写真から立体スキャナを用いて形状のデータを作成する（Ｓ２）。次に、取得した形状のデータを元にロストワックスを、周知の３次元切削加工機を用いて切削加工する（Ｓ３）。それから、切削加工されたロストワックスを元に鋳型を作成し、この鋳型を用いて鋳造によってレリーフ体１０を製造する。次に、鉄製の鞘に耐火石膏を入れ、ロストワックスを埋没させて、耐火石膏を硬化させる（Ｓ４）。
【００２６】
この状態で、耐火石膏を電気炉に入れて加熱し、ロストワックスを溶かして型を造る（Ｓ５）。これにより、耐火石膏の中には、ロストワックスと同型の空洞が出来上がる。次に、この空洞に、金属の溶湯を流し込み、養生させてから、脱型する。最後に、研磨するなど適宜に仕上げを行なってレリーフ体１０を完成させる（Ｓ６）。
ロストワックス法で製造すると、叩いたり削ったりせずに仕上げられるため、完成品の表面は滑らかに仕上がり、精度の高いレリーフ体１０が出来上がる。また、写真や肖像画とは違う趣があり、趣向を凝らして描くことができる。これによって、墓地用構造物Ｋの外観品質が向上する。
【００２７】
次に、故人に関連した関連情報４０をホームページ（図示せず）に掲載する。こうすることにより、広く一般に公開できるとともに容易に関連情報４０を取得することができる。また、他人が安易に関連情報４０を改竄したりすることを防止することができる。
【００２８】
ホームページが完成したら、ＱＲコード２０ａを作成する。ＱＲコード２０ａは、例えば、専用ツールを用いて作成し、更にバージョンとセルサイズを設定して作成する。このとき、故人の関連情報４０が掲載されているホームページにリンクされるようにＱＲコード化する。例えば、ホームページのＵＲＬをＱＲコード生成ソフトに入力してＱＲコード化させると、作成されたＱＲコード２０ａを読取った端末には、ホームページのＵＲＬが表示されるようになる。
【００２９】
次に、レリーフ体１０に、ＱＲコード２０ａを印刷する（Ｓ７）。レリーフ体１０の表面１１にＱＲコード２０ａを印刷することにより、レリーフ体１０のデザイン性が向上する。また、印刷することによって、ＱＲコード２０ａが劣化したり破損したりしてコード２０の読取機能が低下することを防ぐことができる。
【００３０】
次に、ブロック体１の露出部２に凹部３を設ける。実施の形態では、レリーフ体１０は、正面円形で断面矩形に形成されているので、レリーフ体１０に対応した形状に凹部３を設ける。この凹部３にレリーフ体１０を嵌合して付設する。嵌合することにより、レリーフ体１０が安易に取れたり落ちたりしなくなり、墓地用構造物Ｋの外観を損ねることがなくなる。
【００３１】
このように構築される本発明の実施の形態に係る墓地用構造物Ｋに礼拝するときは、以下のようになる。墓前に着くと、先ず、ブロック体１に付設されたレリーフ体１０に表出されている常時視認可能な故人の顔１２ａ，名前１２ｂ，生存期間１２ｃが見える。このレリーフ体１０には、ＱＲコード２０ａが印刷されており、表出された模様１２とともに、デザイン性を向上させている。このようなレリーフ体１０は、外観がおもしろく、人々の興味を引く。また、レリーフ体１０に表出された情報によって、故人を想い描いて礼拝することができるようになる。更に、レリーフ体１０を金属で構成しているため、耐久性があり、長期間付設しておいても、劣化したり破損したりしないので、常時綺麗な状態で視認できる。
【００３２】
また、墓前にいながら、レリーフ体１０に印刷されているＱＲコード２０ａを読み取り、故人の関連情報４０を閲覧することができる。関連情報４０を取得するには、先ず、レリーフ体１０に印刷されているＱＲコード２０ａをカメラ付携帯電話３１ａで撮像し、コードデータを読み取る。この読み取ったコードデータは、ホストコンピュータ３２に送信される。ホストコンピュータ３２は、コードデータを受信し、受信したコードデータを照合して、対応するホームページを特定する。特定したホームページは、ホストコンピュータ３２から携帯電話３１ａに送信される。携帯電話３１ａは、特定したホームページを受信し、ディスプレイ３８上に表示する。このような一連の流れを、瞬時に行い、容易に故人の関連情報４０を取得して閲覧可能にしている。
【００３３】
墓地に赴くには幾つかの理由が挙げられるが、例えば、先祖の供養のために墓参に行った場合は、自分の先祖を敬い、畏敬の念をもって礼拝する。しかし、先祖代々の墓では、先祖の風貌，容貌も知らずにお参りをする人も多く、感情を込めにくい。また、著名な人の墓参に行った場合でも、故人を尊ぶには、故人の顔や生前の歴史を知らなくては、感情を込めて礼拝することは難しい。本実施の形態に係る墓地用構造物Ｋには、ブロック体１の露出部２に付設されたレリーフ体１０に故人の顔１２ａ，名前１２ｂ，生存期間１２ｃが常時視認可能に表出されているので、故人を想い描いて礼拝することができる。また、、故人に関連する関連情報４０を閲覧することによって、より感情を込めて礼拝することができる。
【００３４】
尚、上記実施の形態において、レリーフ体１０に故人の顔１２ａ，名前１２ｂ，生存期間１２ｃを表出させたが、必ずしもこれに限定されるものではなく、どのような模様でも良く、適宜変更して差支えない。
また、上記実施の形態において、レリーフ体１０を上記の形状に形成したが、必ずしもこれに限定されるものではなく、どのような形状でも良く、適宜変更して差支えない。
更に、上記実施の形態において、レリーフ体１０をロストワックス法で形成したが、必ずしもこれに限定されるものではなく、どのような製造方法でも良く、適宜変更して差支えない。
【００３５】
尚また、上記実施の形態において、コード２０をＱＲコード２０ａで構成したが、必ずしもこれに限定されるものではなく、どのようなコードでも良く、適宜変更して差支えない。
また、上記実施の形態において、コード２０をレリーフ体１０に印刷して表出させたが、必ずしもこれに限定されるものではなく、刻設する等どのように表出させても良く、適宜変更して差支えない。
更に、上記実施の形態において、携帯端末３１を携帯電話３１ａで構成したが、必ずしもこれに限定されるものではなく、コード２０を読み取る機能があればどのようなものでも良く、適宜変更して差支えない。
【図面の簡単な説明】
【００３６】
【図１】本発明の実施の形態に係る墓地用構造物を示す斜視図である。
【図２】本発明の実施の形態に係る墓地用構造物としての墓を示す斜視図である。
【図３】本発明の実施の形態に係る墓地用構造物としての墓碑を示す斜視図である。
【図４】本発明の実施の形態に係る墓地用構造物としての支柱を示す斜視図である。
【図５】本発明の実施の形態に係るレリーフ体を示す正面図である。
【図６】本発明の実施の形態に係る墓地用構造物を示す一部拡大断面側面図である。
【図７】本発明の実施の形態に係る通信手段を示す斜視図である。
【図８】本発明の実施の形態に係る通信手段を示すブロック図である。
【図９】本発明の実施の形態に係るレリーフ体の製造工程を示すフローチャートである。
【図１０】従来の墓地用構造物の一例を示す正面図である。
【図１１】従来の墓地用構造物の一例を示す断面側面図である。
【符号の説明】
【００３７】
Ｋ  墓地用構造物
１  ブロック体
２  露出部
３  凹部
１０  レリーフ体
１１  表面
１２  模様
１２ａ  顔
１２ｂ  名前
１２ｃ  生存期間
２０  コード
２０ａ  ＱＲコード
３０  通信手段
３１  携帯端末
３１ａ  携帯電話
３２  ホストコンピュータ
３３  ネットワークシステム
３４  読取手段
３５  コードデータ送信手段
３６  関連情報受信手段
３７  表示手段
３８  ディスプレイ
４０  関連情報
４１  格納手段
４２  コードデータ受信手段
４３  関連情報特定手段
４４  関連情報送信手段
【図１】
2008223398.tif 000003
【図２】
2008223398.tif 000004
【図３】
2008223398.tif 000005
【図４】
2008223398.tif 000006
【図５】
2008223398.tif 000007
【図６】
2008223398.tif 000008
【図７】
2008223398.tif 000009
【図８】
2008223398.tif 000010
【図９】
2008223398.tif 000011
【図１０】
2008223398.tif 000012
【図１１】
2008223398.tif 000013